(57)【要約】【課題】  互いに隙間を開けて積み重ねられた外壁パネル等の複数の部材の前記隙間を、小さな力で安全かつ簡単に、また部材の表面に傷を付けることなく拡げることができる隙間拡げ装置を提供する。【解決手段】  隙間拡げ装置１は、一端部が把持部となるレバー状本体２と、このレバー状本体２に設けられた２つの突起物３，４とを有する。２つの突起物３，４は、レバー状本体２の把持部となる端部とは反対側の端部に、レバー状本体２の長さ方向に並んで設けられ、それぞれが前記長さ方向と交差する互いに同一方向に突出し、積み重ねられた状態の部材２０間の隙間２１に差し込まれる。これら２つの突起物３，４のうちの１つの突起物３はレバー状本体２に対して固定であり、もう１つの突起物４はレバー状本体２に対し突出方向の軸心回りに回転自在である。【選択図】        図３
2015229886.tif 000002
【特許請求の範囲】
【請求項１】
互いに隙間を開けて積み重ねられた複数の部材の前記隙間を拡げる装置であって、
一端部が把持部となるレバー状本体と、このレバー状本体の前記把持部となる端部とは反対側の端部に前記レバー状本体の長さ方向に並んで設けられ、それぞれが前記長さ方向と交差する互いに同一方向に突出し、前記積み重ねられた状態の部材間の隙間に差し込まれる２つの突起物とを有し、これら２つの突起物のうちの１つの突起物は前記レバー状本体に対して固定であり、もう１つの突起物は前記レバー状本体に対し突出方向の軸心回りに回転自在であることを特徴とする隙間拡げ装置。
【請求項２】
請求項１に記載の隙間拡げ装置において、前記レバー状本体の長さ方向に並ぶ前記２つの突起物のうちの把持部となる端部に近い方の突起物が前記固定された突起物であり、遠い方の突起物が前記回転自在な突起物である隙間拡げ装置。
【請求項３】
請求項１または請求項２に記載の隙間拡げ装置において、前記レバー状本体は、前記２つの突起物が突出する平面に対して、把持部となる端部が前記２つの突起物の突出方向と反対側に位置している隙間拡げ装置。
【請求項４】
請求項１ないし請求項３のいずれか１項に記載の隙間拡げ装置において、前記２つの突起物の外周に、前記部材との滑りを防止する被覆を設けた隙間拡げ装置。
【請求項５】
請求項１ないし請求項４のいずれか１項に記載の隙間拡げ装置において、前記部材は外壁パネルである隙間拡げ装置。
【請求項６】
請求項１ないし請求項４のいずれか１項に記載の隙間拡げ装置を用いて、前記部材である外壁パネルの縁部に吊索を掛けるための吊上げ用治具を取り付ける方法であって、
前記隙間拡げ装置により、互いに隙間を開けて積み重ねられた複数の外壁パネルのうちの１番上の外壁パネルと上から２番目の外壁パネルの間の隙間を拡げる過程と、
拡げられた隙間に隙間保持部材を入れる過程と、
１番上の外壁パネルに前記吊上げ用治具を取り付ける過程と、
を含む吊上げ用治具の取付け方法。
【発明の詳細な説明】
【技術分野】
【０００１】
この発明は、互いに隙間を開けて積み重ねられた外壁パネル等の複数の部材の前記隙間を拡げる隙間拡げ装置に関する。
【背景技術】
【０００２】
建物の建築現場等において複数枚の平積みされた外壁パネルを上から順に１枚ずつ分離して吊り上げる場合、従来、１番上の外壁パネルを人力でずらして縁部の下方に空間を開け、この縁部にクレーン等の吊索を掛けるための作業を行っている。吊索を掛けるための作業とは、例えば吊索を掛けるためのボルト、専用のパネル吊下げ用治具等を取り付ける作業のことである。
【０００３】
平積みされた外壁パネルを「てこ」の作用で持ち上げる技術が、特許文献１，２に開示されている。特許文献１のパネル持上具は、平積みされた複数の外壁パネルをハンドパレットに移し替えるために持ち上げるものである。また、特許文献２のパネル持上具は、平積みされた複数の外壁パネルのうちの１番上の外壁パネルを持ち上げるものであるが、比較的小型・軽量の外壁パネルに適用される。
【先行技術文献】
【特許文献】
【０００４】
【特許文献１】実開平５−７５２１６号公報
【特許文献２】実開平５−５８７５３号公報
【発明の概要】
【発明が解決しようとする課題】
【０００５】
従来のように１番上の外壁パネルを人力でずらして吊索を掛けるための作業を行うのは、外壁パネルをずらすときに外壁パネルの表面に傷を付ける恐れがある。また、吊上げ対象となる外壁パネルが物流施設、コンビニエンスストア等の壁に用いられる大きくて重い外壁パネルである場合、大きな労力を要すると共に、誤って上下の外壁パネル間に指を挟む危険性がある。特許文献２に記載のパネル持上具では、上記のような大きく重い外壁パネルを持ち上げることはできない。
【０００６】
この発明の目的は、互いに隙間を開けて積み重ねられた複数の部材の前記隙間を、小さな力で安全かつ簡単に、また部材の表面に傷を付けることなく拡げることができる隙間拡げ装置を提供することである。
この発明の他の目的は、外壁パネルの縁部に吊索を掛けるための吊上げ用治具を安全かつ確実に取り付けられる吊上げ用治具取付け方法を提供することである。
【課題を解決するための手段】
【０００７】
この発明の隙間拡げ装置は、互いに隙間を開けて積み重ねられた複数の部材の前記隙間を拡げる装置であって、一端部が把持部となるレバー状本体と、このレバー状本体の前記把持部となる端部とは反対側の端部に前記レバー状本体の長さ方向に並んで設けられ、それぞれが前記長さ方向と交差する互いに同一方向に突出し、前記積み重ねられた状態の部材間の隙間に差し込まれる２つの突起物とを有し、これら２つの突起物のうちの１つの突起物は前記レバー状本体に対して固定であり、もう１つの突起物は前記レバー状本体に対し突出方向の軸心回りに回転自在であることを特徴とする。前記隙間は、少なくとも部材の縁部間に隙間が開いていればよい。
【０００８】
この隙間拡げ装置により、互いに隙間を開けて積み重ねられた複数の部材の隙間を拡げる場合、上下に隣り合う２つの部材の間の隙間に２つの突起物をそれぞれ差し込み、レバー状本体の把持部を上げて、固定である突起物を支点にレバー状本体を回動させる。レバー状本体の回動に伴い２つの突起物間の上下距離が変化し、その分だけ下の部材に対して上の部材が持ち上がる。レバー状本体が回動するとき、固定である突起物を部材と回転接触し、回転自在である突起物は部材の表面を転がり接触する。このため、突起物と部材とが擦れ合うことがなく、部材の表面を傷付けない。てこの原理で上の部材を持ち上げるため、大きな力を必要とせず、一人でも部材間の隙間を拡げることができる。２つの突起物間の距離に対して、固定である突起物とレバー状本体の把持部間の距離を大きくすると、大きく重い部材であっても、小さな力で安全かつ確実に隙間を拡げることができる。
【０００９】
この発明において、前記レバー状本体の長さ方向に並ぶ前記２つの突起物のうちの把持部となる端部に近い方の突起物を前記固定された突起物とし、遠い方の突起物を前記回転自在な突起物とするのが良い。
この場合、レバー状本体を回動して部材を持ち上げるとき、固定された突起物が上側の部材に回転接触し、回転自在な突起物が下側の部材に転がり接触する。そのため、下側の部材に対する上側の部材の水平位置を変えることなく隙間を拡げることができる。
【００１０】
この発明において、前記レバー状本体は、前記２つの突起物が突出する平面に対して、把持部となる端部が前記２つの突起物の突出方向と反対側に位置していると良い。
この場合、把持部となる端部を手でつかんでレバー状本体を回動させるときに、手が部材と干渉しない。
【００１１】
この発明において、前記２つの突起物の外周に、前記部材との滑りを防止する被覆を設けると良い。
この場合、突起物と部材との間に滑りが生じないため、隙間拡げ操作をより一層安全かつ確実に行える。
【００１２】
この発明の隙間拡げ装置は、外壁パネルのような大きくて重い部材に適用できる。
【００１３】
この発明の吊上げ用治具の取付け方法は、前記隙間拡げ装置を用いて前記部材である外壁パネルの縁部に吊索を掛けるための吊上げ用治具を取り付ける方法であって、前記隙間拡げ装置により、互いに隙間を開けて積み重ねられた複数の外壁パネルのうちの１番上の外壁パネルと上から２番目の外壁パネルの間の隙間を拡げる過程と、拡げられた隙間に隙間保持部材を入れる過程と、１番上の外壁パネルに前記吊上げ用治具を取り付ける過程とを含む。
【００１４】
この吊上げ用治具の取付け方法によると、隙間拡げ装置により１番上の外壁パネルと上から２番目の外壁パネルの間の隙間を拡げることで、１番上の外壁パネルに吊上げ用治具を安全かつ確実に取り付けることができる。
【発明の効果】
【００１５】
この発明の隙間拡げ装置は、互いに隙間を開けて積み重ねられた複数の部材の前記隙間を拡げる装置であって、一端部が把持部となるレバー状本体と、このレバー状本体の前記把持部となる端部とは反対側の端部に前記レバー状本体の長さ方向に並んで設けられ、それぞれが前記長さ方向と交差する互いに同一方向に突出し、前記積み重ねられた状態の部材間の隙間に差し込まれる２つの突起物とを有し、これら２つの突起物のうちの１つの突起物は前記レバー状本体に対して固定であり、もう１つの突起物は前記レバー状本体に対し突出方向の軸心回りに回転自在であるため、互いに隙間を開けて積み重ねられた複数の部材の前記隙間を、小さな力で安全かつ簡単に、また部材の表面に傷を付けることなく拡げることができる。
【００１６】
この発明の吊上げ用治具の取付け方法は、前記隙間拡げ装置を用いて前記部材である外壁パネルの縁部に吊索を掛けるための吊上げ用治具を取り付ける方法であって、前記隙間拡げ装置により、互いに隙間を開けて積み重ねられた複数の外壁パネルのうちの１番上の外壁パネルと上から２番目の外壁パネルの間の隙間を拡げる過程と、拡げられた隙間に隙間保持部材を入れる過程と、１番上の外壁パネルに前記吊上げ用治具を取り付ける過程とを含むため、外壁パネルの縁部に吊索を掛けるための吊上げ用治具を安全かつ確実に取り付けられる。
【図面の簡単な説明】
【００１７】
【図１】（Ａ）はこの発明の一実施形態に係る隙間拡げ装置の正面図、（Ｂ）はその側面図である。
【図２】同隙間拡げ装置の一部分の破断側面図である。
【図３】同隙間拡げ装置による部材の隙間拡げ動作の説明図である。
【図４】同隙間拡げ装置を用いて外壁パネルの縁部に吊索を掛けるための吊上げ用治具を取り付ける方法の説明図である。
【発明を実施するための形態】
【００１８】
この発明の実施形態を図面と共に説明する。
図１はこの発明の一実施形態にかかる隙間拡げ装置の正面図および側面図である。この隙間拡げ装置１は、一端部が把持部Ｈとなるレバー状本体２を有し、このレバー状本体２の把持部Ｈとなる端部とは反対側の端部に、レバー状本体２の長さ方向に並んで２つの円柱状の突起物３，４が設けられている。各突起物３，４は、レバー状本体２の長さ方向と交差する方向に突出している。把持部Ｈに近い方の突起物３はレバー状本体２に対して固定であり、遠い方の突起物４はレバー状本体２に対し突出方向の軸心回りに回転自在である。これら突起物３，４の外周には、ゴム材等からなる被覆５が設けられている。この被覆５は、隙間拡げ対象となる部材との滑り防止、および部材の表面保護のために設けられる。
【００１９】
この実施形態のレバー状本体２は、把持部Ｈとなる端部を含む大半部分を占める丸パイプ部６と、突起物３，４が設けられた板状部７とからなり、板状部７に設けられた差込み部７ａを丸パイプ部６の中空孔６ａに差し込むことで、丸パイプ部６と板状部７を互いに結合している。差込み部７ａは、突起物３，４が設けられている本体部７ｂに対して、突起物３，４の突出方向と逆側に所定の角度θで屈曲させてある。このため、２つの突起物３，４が設けられている平面Ｆに対して、把持部Ｈとなる端部が突起物３，４の突出方向と反対側に位置している。
【００２０】
固定である突起物３はボルト等からなり、板状部７に開けられた貫通孔（図示せず）に挿通され、ナット８により固定されている。一方、回転自在である突起物４の支持部は図２に示す構造となっている。すなわち、レバー状本体２の板状部７に鍔付き円筒状の軸受ハウジング９を鍔部で複数の固定ピン１０により固定し、軸受ハウジング９内に収容された２つの軸受１１により突起物４の基部４ａを回転自在に支持している。２つの軸受１１は、深溝玉軸受等の転がり軸受からなり、軸受ハウジング９の内周に嵌めた止め輪１２により抜け止めされている。
【００２１】
この隙間拡げ装置１の操作方法を説明する。
例えば図４（Ａ）のような互いに隙間を開けて積み重ねられた複数の部材２０の隙間２１に、図３（Ａ）のように、２つの突起物３，４を差し込み、把持部Ｈを手でつかんで引き上げる。固定である突起物３は上側の部材２０と回転接触し、かつ回転自在である突起物４は下側の部材２０の表面を転がり接触することで、同図（Ｂ）〜（Ｄ）のように、固定である突起物３を支点にレバー状本体２が回動する。それにより、レバー状本体２の回動に伴い突起物３の上下位置が変化し、突起物３に下から押されて上側の部材２０が持ち上がる。このとき、固定された突起物３の水平位置は変わらず、回転自在である突起物４が下側の部材２０に沿って転動する。そのため、上側の部材２０は、水平位置をずらすことなく隙間２１を拡げることができる。
【００２２】
上記操作は、一人で行うことができる。２つの突起物３，４間の距離に対して、支点となる固定である突起物３とレバー状本体２の把持部Ｈ間の距離は長いため、大きくて重い部材であっても、小さな力で楽に隙間２１を拡げることができる。レバー状本体２は屈曲していて、２つの突起物３，４を部材２０間の隙間２１に差し込んだ状態では把持部Ｈが部材２０から離れた位置にあるため、レバー状本体２を回動操作するときに把持部Ｈをつかむ手が部材２０と干渉しない。突起物３，４の外周に被覆５が設けられているため、突起物３，４と部材２０との間に滑りが生じず、上記操作を正確かつ確実に行える。また、被覆５が設けられていることで、突起物３，４と部材２０とが互いに傷付け合うことを防止できる。
【００２３】
図示例では、把持部Ｈに近い側の突起物３を固定とし、遠い側の突起物４を回転自在としたが、これとは逆に、把持部Ｈに近い側の突起物３を回転自在とし、遠い側の突起物４を固定としても良い。その場合、把持部Ｈから遠い側の突起物４を支点としてレバー状本体２が回動するため、上側の部材２０の水平位置をずらしながら隙間２１が拡げられる。
【００２４】
この隙間拡げ装置１の具体的な使用方法として、外壁パネルである部材（以下、「外壁パネル」とする）２０の縁部にクレーン等の吊索を掛けるための吊上げ用治具を取り付ける場合を、図４と共に説明する。なお、外壁パネル２０は建込み状態で上側となる縁部は他の部分よりも厚さが薄くなっているため、図のように平積みで積み重ねた場合、上下の外壁パネル２０間に隙間２１が形成される。
【００２５】
まず、同図（Ａ），（Ｂ）のように、隙間拡げ装置１により、１番上の外壁パネル２０と上から２番目の外壁パネル２０の間の隙間２１を拡げる。隙間拡げ装置１の操作方法は前述した通りである。次に、同図（Ｃ）のように、拡げられた隙間２１に緩衝材、桟木等の隙間保持部材２２を入れる。そして、その状態、１番上の外壁パネル２０に吊上げ用治具２２を取り付ける。この方法によると、吊上げ用治具２３を取り付ける外壁パネル２０の下方に広い隙間２１があるの、吊上げ用治具２３を安全かつ確実に取り付けることができる。
【符号の説明】
【００２６】
１…隙間拡げ装置
２…レバー状本体
３…固定された突起物
４…回転自在な突起物
５…被覆
２０…部材（外壁パネル）
２１…隙間
２２…隙間保持部材
２３…吊上げ用治具
Ｈ…把手部
【図１】
2015229886.tif 000003
【図２】
2015229886.tif 000004
【図３】
2015229886.tif 000005
【図４】
2015229886.tif 000006